(57)【特許請求の範囲】
【請求項１】
印刷流体を貯留する貯留部と、第１記憶部と、前記第１記憶部に電気的に接続された第１接点とを有するカートリッジを収容可能な収容部と、
前記収容部に前記カートリッジが装着されたときに、前記カートリッジの前記第１接点と当接する位置に設けられた第２接点と、
前記第２接点とは異なる位置に設けられた第３接点と、
第２記憶部と、
制御部とを備えており、
前記制御部は、前記カートリッジを前記収容部に挿入する挿入過程及び前記カートリッジを前記収容部から脱抜する脱抜過程において、前記カートリッジと干渉することによって前記第２接点と前記第３接点とが導通した場合に、認証を行う必要があることを示す第１情報を前記第２記憶部に記憶させる第１情報記憶処理と、
記録指令を受信する前の所定の契機で、前記第２記憶部に前記第１情報が記憶されている場合に前記第１接点及び前記第２接点を介して前記第１記憶部と認証通信を行う第１認証処理と、
前記第１認証処理の認証が成功した場合に、認証を行う必要が無いことを示す第２情報を前記第２記憶部に記憶させる第２情報記憶処理と、
前記記録指令を受信したときに、前記第２記憶部に前記第２情報が記憶されている場合は、記録媒体に記録を行う記録処理と、
前記記録指令を受信したときに、前記第２記憶部に前記第１情報が記憶されている場合は、前記第１接点及び前記第２接点を介して前記第１記憶部と認証通信を行う第２認証処理とを行うことを特徴とする記録装置。
【請求項２】
前記収容部の挿入口が開放された開放状態と前記挿入口が閉鎖された閉鎖状態とのいずれにあるかに応じて異なる信号を出力するセンサをさらに備えており、
前記所定の契機は、前記制御部が、前記センサからの信号に基づいて前記開放状態から前記閉鎖状態に変化したと判定したときであることを特徴とする請求項１に記載の記録装置。
【請求項３】
前記制御部は、
電源が入れられる契機で、前記第１接点及び前記第２接点を介して前記第１記憶部と前記認証通信を行う電源投入認証処理と、
前記電源投入認証処理の認証が失敗した場合に、前記第１情報を前記第２記憶部に記憶させる第３情報記憶処理と、
前記電源投入認証処理の認証が成功した場合に、前記第２情報を前記第２記憶部に記憶させる第４情報記憶処理とをさらに行うことを特徴とする請求項１又は２に記載の記録装置。
【請求項４】
前記制御部は、
前記第２認証処理の認証が成功した場合、前記第２情報を前記第２記憶部に記憶させる成功情報記憶処理をさらに行うことを特徴とする請求項１〜３のいずれか１項に記載の記録装置。
【請求項５】
前記カートリッジは、前記第１記憶部に電気的に接続された第４接点をさらに有し、
前記第３接点は、前記収容部に前記カートリッジが装着されたときに、前記第４接点と当接する位置に配置されていることを特徴とする請求項１〜４のいずれか１項に記載の記録装置。
【請求項６】
前記挿入過程及び前記脱抜過程において、前記第２接点と前記第３接点とが導通する導通状態と、前記第２接点と前記第３接点とが導通しない非導通状態とを交互にとらせる導通部をさらに備えていることを特徴とする請求項１〜５のいずれか１項に記載の記録装置。
【請求項７】
前記導通部を有するカートリッジをさらに備えており、
前記導通部は、前記カートリッジを前記収容部に挿入する挿入方向に沿って、前記第１接点よりも下流に配置された導体によって構成されており、
前記導体は、前記第２接点と接触しながら前記第３接点と接触するように、前記挿入方向を含む面内方向に延在していることを特徴とする請求項６に記載の記録装置。
【請求項８】
前記開放状態をとるための開放位置と前記閉鎖状態をとるための閉鎖位置とを選択的にとることで当該挿入口を開閉可能なカバーをさらに備えており、
前記センサは、前記カバーが前記開放位置及び前記閉鎖位置のいずれにあるかに応じて信号を出力するカバーセンサであることを特徴とする請求項２に記載の記録装置。
【請求項９】
前記カバーは、軸を中心に前記開放位置と前記閉鎖位置との間を回動可能に構成されていることを特徴とする請求項８に記載の記録装置。
【請求項１０】
印刷流体を貯留する貯留部と、第１記憶部と、前記第１記憶部に電気的に接続された第１接点とを有するカートリッジを収容可能な収容部と、
前記収容部に前記カートリッジが装着されたときに、前記カートリッジの前記第１接点と当接する位置に設けられた第２接点と、
前記第２接点とは異なる位置に設けられた第３接点と、
第２記憶部と、
制御部とを備えており、
前記制御部は、前記カートリッジを前記収容部に挿入する挿入過程及び前記カートリッジを前記収容部から脱抜する脱抜過程において、前記カートリッジと干渉することによって前記第２接点と前記第３接点とが導通した場合に、前記第１接点及び前記第２接点を介して前記第１記憶部と認証通信を行う第１認証処理と、
前記第１認証処理の認証が失敗した場合に、認証を行う必要があることを示す第１情報を前記第２記憶部に記憶させる第１情報記憶処理と、
前記第１認証処理の認証が成功した場合に、認証を行う必要が無いことを示す第２情報を前記第２記憶部に記憶させる第２情報記憶処理と、
記録指令を受信したときに、前記第２記憶部に前記第２情報が記憶されている場合は、記録媒体に記録を行う記録処理とを行うことを特徴とする記録装置。
【発明の詳細な説明】
【技術分野】
【０００１】
本発明は、画像を記録する記録装置に関する。
【背景技術】
【０００２】
特許文献１には、光センサからの出力信号の変化に基づいてインクカートリッジの着脱を検出する記録装置が記載されている。
【先行技術文献】
【特許文献】
【０００３】
【特許文献１】特開２００４−００１４８０号公報
【発明の概要】
【発明が解決しようとする課題】
【０００４】
一方、記録装置には、カートリッジが交換されたときに、適正なカートリッジが収容されているか否かを判定するためにカートリッジに設けられた記憶部との間において認証通信を行うものがある。
【０００５】
上記特許文献１に記載のカートリッジの着脱を検出するために光センサを採用した記録装置において、上述の認証通信を行うことも考えられている。しかし、そのような記録装置では、次のような不具合がある。
【０００６】
光センサでカートリッジの着脱を検出するためには、光センサの発光素子や受光素子などに電力を供給し続けて光センサの電源をＯＮにしておく必要があるため、電力消費が大きい。このため、光センサでカートリッジの着脱を検出する記録装置では、例えば、カートリッジの挿入口のカバーが開いたときだけ、光センサをＯＮにするものが知られている。しかしながら、このようにカバーが開いたときだけ電力を供給する構成であると、カバーの開閉を検出するための開閉センサが故障等で反応しなかった場合、カバーが開いても光センサには電力が供給されない。この場合、カートリッジの着脱を検出することができないため、カートリッジの交換が行われたとしても、カートリッジの認証通信が行われないという問題がある。この場合、認証が行われていないため、カートリッジ交換で色の異なるカートリッジに誤って交換されていても、記録指令を受信するとそのまま記録処理が実行されるという問題がある。
【０００７】
そこで、本発明の目的は、誤ったカートリッジが収容された状態で記録処理が実行されるのを防ぐことが可能な記録装置を提供することである。
【課題を解決するための手段】
【０００８】
本発明の記録装置は、印刷流体を貯留する貯留部と、第１記憶部と、前記第１記憶部に電気的に接続された第１接点とを有するカートリッジを収容可能な収容部と、前記収容部に前記カートリッジが装着されたときに、前記カートリッジの前記第１接点と当接する位置に設けられた第２接点と、前記第２接点とは異なる位置に設けられた第３接点と、第２記憶部と、制御部とを備えている。そして、前記制御部は、前記カートリッジを前記収容部に挿入する挿入過程及び前記カートリッジを前記収容部から脱抜する脱抜過程において、前記カートリッジと干渉することによって前記第２接点と前記第３接点とが導通した場合に、認証を行う必要があることを示す第１情報を前記第２記憶部に記憶させる第１情報記憶処理と、記録指令を受信する前の所定の契機で、前記第２記憶部に前記第１情報が記憶されている場合に前記第１接点及び前記第２接点を介して前記第１記憶部と認証通信を行う第１認証処理と、前記第１認証処理の認証が成功した場合に、認証を行う必要が無いことを示す第２情報を前記第２記憶部に記憶させる第２情報記憶処理と、前記記録指令を受信したときに、前記第２記憶部に前記第２情報が記憶されている場合は、記録媒体に記録を行う記録処理と、前記記録指令を受信したときに、前記第２記憶部に前記第１情報が記憶されている場合は、前記第１接点及び前記第２接点を介して前記第１記憶部と認証通信を行う第２認証処理とを行う。
【０００９】
また、本発明の記録装置は、別の観点では、印刷流体を貯留する貯留部と、第１記憶部と、前記第１記憶部に電気的に接続された第１接点とを有するカートリッジを収容可能な収容部と、前記収容部に前記カートリッジが装着されたときに、前記カートリッジの前記第１接点と当接する位置に設けられた第２接点と、前記第２接点とは異なる位置に設けられた第３接点と、第２記憶部と、制御部とを備えている。そして、前記制御部は、前記カートリッジを前記収容部に挿入する挿入過程及び前記カートリッジを前記収容部から脱抜する脱抜過程において、前記カートリッジと干渉することによって前記第２接点と前記第３接点とが導通した場合に、前記第１接点及び前記第２接点を介して前記第１記憶部と認証通信を行う第１認証処理と、前記第１認証処理の認証が失敗した場合に、認証を行う必要があることを示す第１情報を前記第２記憶部に記憶させる第１情報記憶処理と、前記第１認証処理の認証が成功した場合に、認証を行う必要が無いことを示す第２情報を前記第２記憶部に記憶させる第２情報記憶処理と、記録指令を受信したときに、前記第２記憶部に前記第２情報が記憶されている場合は、記録媒体に記録を行う記録処理とを行う。
【発明の効果】
【００１０】
本発明の記録装置によると、カートリッジの挿入及び抜脱過程において第２接点と第３接点とが導通したことを契機に、認証を行う必要があることを示す第１情報が第２記憶部に記憶される。第２記憶部に第１情報が記憶されているにもかかわらず、何らかの原因で記録指令を受信する前に第１認証処理が行われなかったとしても、制御部は、記録指令を受信したとき、第１情報が記憶されている場合は第２認証処理を行うため、誤ったカートリッジが収容された状態で記録が実行されるのを防ぐことができる。また、第１認証処理が行われた結果、第２記憶部に第２情報が記憶されている場合には、記録指令を受信した後には認証通信は行わない。従って、記録指令を受信してから記録を開始するまでに要する時間を短縮できる。
また、本発明の記録装置の別の観点によると、カートリッジの挿入及び抜脱過程において第２接点と第３接点とが導通したことを契機に第１認証処理が行われる。第１認証処理の認証通信の失敗又は成功に応じて、第２記憶部に第１情報又は第２情報が記憶される。制御部は、記録指令を受信したとき、第２情報が記憶されている場合は記録処理を行うため、誤ったカートリッジが収容された状態で記録が実行されるのを防ぐことができる。また、第１認証処理が行われた結果、第２記憶部に第２情報が記憶されている場合には、記録指令を受信した後には認証通信は行わない。従って、記録指令を受信してから記録を開始するまでに要する時間を短縮できる。
【図面の簡単な説明】
【００１１】
【図１】本発明の一実施形態に係るインクジェットプリンタの内部構造を模式的に示す概略断面図である。
【図２】図１に示すインクカートリッジの外観を示す斜視図である。
【図３】（ａ）はインクカートリッジがカートリッジ収容部に挿入される過程を示す部分断面図であり、（ｂ）はインクカートリッジがカートリッジ収容部に装着された状態を示す部分断面図である。
【図４】（ａ）は２つの接点と接続電極とが当接する前の状態を示す説明図であり、（ｂ）は２つの接点と接続電極とが当接したときの状態を示す説明図であり、（ｃ）は３つの接点が接続電極以外の３つの電極と当接したときの状態を示す説明図である。
【図５】（ａ）は通信回路部の構成を示す回路図であり、（ｂ）は通信回路部が出力する信号の波形図である。
【図６】図１に示すプリンタの電気的構成を示すブロック図である。
【図７】図１に示す制御部が実行する第１の制御内容を示すフロー図である。
【図８】図１に示す制御部が実行する第２の制御内容を示すフロー図である。
【図９】図１に示す制御部が実行する第３の制御内容を示すフロー図である。
【図１０】図１に示す制御部が実行する第４の制御内容を示すフロー図である。
【図１１】第１変更形態の制御部が実行する第１の制御内容を示すフロー図である。
【図１２】第１変更形態の制御部が実行する第２の制御内容を示すフロー図である。
【図１３】第１変更形態の制御部が実行する第３の制御内容を示すフロー図である。
【図１４】第１変更形態の制御部が実行する第４の制御内容を示すフロー図である。
【図１５】第２変更形態のプリンタの要部断面図であり、（ａ）は２つの接点と導通部とが当接する前の状態を示す説明図であり、（ｂ）は２つの接点と導通部とが当接したときの状態を示す説明図であり、（ｃ）は２つの接点と導通部とが離隔し、３つの接点が対応する電極と当接したときの状態を示す説明図である。
【発明を実施するための形態】
【００１２】
以下、本発明の好適な実施の形態について、図面を参照しつつ説明する。本実施形態は、記録装置としてインクジェットプリンタに本発明を適用した一例である。
【００１３】
［プリンタ１０の概要］
図１に示すように、プリンタ１０は、記録ヘッド２１、キャリッジ２７、給紙ローラ２３、搬送ローラ対２５、排出ローラ対２２、給紙トレイ１５，排紙トレイ１６、インク供給装置１００、表示部１５０（図６参照）、及び、制御部１２０などを有する。表示部１５０は、制御部１２０の制御により、エラーを表示する。これにより、使用者にエラーが生じていることを報知することができる。
【００１４】
インク供給装置１００には、カートリッジ収容部１１０が設けられている。カートリッジ収容部１１０には、４色（ブラック、イエロー、シアン、マゼンタ）をそれぞれ貯留する４つのインクカートリッジ３０が収容される。なお、以下の説明において、ブラック（Ｋ）、イエロー（Ｙ）、シアン（Ｃ）、マゼンタ（Ｍ）のインクにそれぞれ対応するものについては、その構成要素を示す符号の後に、どのインクに対応するかが分かるように、ブラックを示す“Ｋ”、イエローを示す“Ｙ”、シアンを示す“Ｃ”、マゼンタを示す“Ｍ”の何れかの記号を付す場合がある。例えば、インクカートリッジ３０Ｋとは、ブラックインクを貯留するインクカートリッジ３０のことを指す。各インクカートリッジ３０は、カートリッジ収容部１１０の挿入口１１０ａを介してカートリッジ収容部１１０に挿入され、或いはカートリッジ収容部１１０から抜き出される。
【００１５】
インクカートリッジ３０には、プリンタ１０で使用可能なインクが貯留されている。カートリッジ収容部１１０に収容された状態において、インクカートリッジ３０と記録ヘッド２１とがインク供給部７０によって接続されている。記録ヘッド２１にはサブタンク２８が設けられている。サブタンク２８は、インク供給部７０のチューブ７１を通じて供給されるインクを一時的に貯留する。記録ヘッド２１のプラテン２６と対向する下面には、複数のノズル２９が形成されている。
【００１６】
記録ヘッド２１は、キャリッジ２７に固定されている。キャリッジ２７は、プラテン２６と対向する領域において、２本のガイドレール７，８に沿って図１中紙面垂直方向である走査方向に往復移動可能である。キャリッジ２７には図示しない無端ベルトが連結され、キャリッジモータ２７ｍ（図６参照）によって無端ベルトが駆動されることで、キャリッジ２７は走査方向に移動する。
【００１７】
制御部１２０は、記録指令を受信すると、給紙ローラ２３を駆動する給紙モータ２３ｍ、搬送ローラ対２５を駆動する搬送モータ２５ｍ及び排出ローラ対２２を駆動する排出モータ２２ｍを駆動する。これにより、給紙トレイ１５の用紙が給紙トレイ１５から搬送路２４に送り出される。搬送路２４へ送り出された用紙は、搬送ローラ対２５によってプラテン２６上へ搬送される。このとき、制御部１２０は、キャリッジモータ２７ｍと記録ヘッド２１を制御し、記録ヘッド２１を走査方向に移動させながらサブタンク２８に貯留されたインクを複数のノズル２９から選択的に吐出する。こうして、プラテン２６上を通過する用紙に画像を記録する。プラテン２６を通過した用紙は、排出ローラ対２２によって、搬送路２４の最下流側に設けられた排紙トレイ１６に排出される。
【００１８】
［インクカートリッジ３０］
図２及び図３に示すように、インクカートリッジ３０はインクが貯留される容器である。なお、カートリッジ収容部１１０に収容される４つのインクカートリッジ３０は、いずれも同じ構成を有しているため、１つのインクカートリッジ３０について説明する。
【００１９】
インクカートリッジ３０は、図２に示すように、略直方体形状の本体３１を有する。本体３１の内部には、図３に示すように、インクを貯留するための貯留部３６が形成されている。
【００２０】
インクカートリッジ３０は、図３に示された起立状態、つまり、同図の下側の面を底面とし、同図の上側の面を上面として、カートリッジ収容部１１０に対して矢印５０で示される挿抜方向に沿って挿入及び脱抜される。
【００２１】
本体３１の前壁４０には、図２に示すように、インク流出部８０が設けられている。インク流出部８０は、円筒形状の外形をなし、前壁４０から前方、すなわち挿入方向５６（図３参照）へ突出している。インク流出部８０の先端面には、インク流出口８１が形成されている。
【００２２】
インク流出部８０には、図３（ａ）に示すように、インク流出口８１から脱抜方向５５に延在するインク流路８２が形成されている。インク流出口８１は、コイルバネ８４によってインク流出口８１側へ付勢されたインク流出バルブ８３によって開閉可能に構成されている。インクカートリッジ３０がカートリッジ収容部１１０に装着されると、インクニードル７３がインク流出口８１に挿入されてインク流出バルブ８３を開く。これにより、インク流路８２を通って貯留部３６から、インクニードル７３へインクが流出される。
【００２３】
本体３１の上壁４１には、図２に示すように、ＩＣ基板７４が設けられている。ＩＣ基板７４には、ＩＣ７８が搭載されている。ＩＣ基板７４の上面には、ＨＯＴ電極７５、シグナル電極７６及びＧＮＤ電極７７が形成されている。ＩＣ７８は、半導体集積回路であり、インクカートリッジ３０に関する情報、例えば、インク色、容量、使用国などの情報を示すデータが読み出し可能に格納されている。また、ＩＣ７８は、計算式を記憶しており、制御部１２０からある数が入力されることで、計算式で算出された計算結果を制御部１２０に出力する機能も有する。
【００２４】
ＨＯＴ電極７５、シグナル電極７６及びＧＮＤ電極７７はＩＣ７８と電気的に接続されている。ＨＯＴ電極７５、シグナル電極７６及びＧＮＤ電極７７は、図２に示すように、それぞれが前後方向５２に沿って延出されており、幅方向５３に互いに離隔して配置されている。ＨＯＴ電極７５、シグナル電極７６及びＧＮＤ電極７７は、装着姿勢の本体３１の上側からアクセス可能に露出されている。
【００２５】
また、ＩＣ基板７４の上面には、図２に示すように、接続電極７９が形成されている。接続電極７９は、３つの電極７５〜７７よりも前方に配置されている。つまり、接続電極７９は、挿入方向５６に沿って３つの電極７５〜７７よりも下流に配置されている。また、接続電極７９は、ＩＣ基板７４の上面における面内方向であって、挿入方向５６と直交する幅方向５３に延在している。接続電極７９は、挿入方向５６に沿ってシグナル電極７６及びＧＮＤ電極７７と重なる位置まで、幅方向５３に延在している。これにより、接続電極７９は、後述の接点１０６ｂと接続しながら接点１０６ｃと接続されるように構成される。
【００２６】
この構成において、インクカートリッジ３０をカートリッジ収容部１１０に挿入すると、図４（ａ）に示すように、ＩＣ基板７４が後述の３つの接点１０６ａ〜１０６ｃに近づいていく。インクカートリッジ３０の挿入をさらに進めると、図４（ｂ）に示すように、接続電極７９は２つの接点１０６ｂ、１０６ｃと同時に当接し、これら接点１０６ｂ，１０６ｃは、互いに導通した状態である導通状態となる。そして、導通状態となった位置からさらにインクカートリッジ３０を押し込んで、インクカートリッジ３０の挿入が完了したとき、図４（ｃ）に示すように、３つの接点１０６ａ，１０６ｂ，１０６ｃのそれぞれが対応する電極７５〜７７に当接し、ＩＣ７８と制御部１２０とが電気的に接続される。このとき、接続電極７９は、２つの接点１０６ｂ，１０６ｃと離隔し、これら接点１０６ｂ，１０６ｃが互いに導通していない状態である非導通状態となる。このように接続電極７９は、インクカートリッジ３０の挿入過程において、シグナル電極７６と接点１０６ｂ、及び、ＧＮＤ電極７７と接点１０６ｃが当接するよりも前に、接点１０６ｂと接点１０６ｃとを導通させる。なお、インクカートリッジ３０をカートリッジ収容部１１０から脱抜する脱抜過程において、接続電極７９は、シグナル電極７６と接点１０６ｂ、及び、ＧＮＤ電極７７と接点１０６ｃが離隔してから接点１０６ｂと接点１０６ｃと当接し、これら接点１０６ｂ，１０６ｃは互いに導通した導通状態となる。そして、導通状態となった位置からさらにインクカートリッジ３０を引き抜くと、接続電極７９は、２つの接点１０６ｂ，１０６ｃと離隔し、これら接点１０６ｂ，１０６ｃが互いに導通していない非導通状態となる。このようにインクカートリッジ３０の挿入過程及び脱抜過程において、２つの接点１０６ｂ，１０６ｃは、接続電極７９によって導通状態と非導通状態とを交互にとる。
【００２７】
［インク供給装置１００］
インク供給装置１００は、記録ヘッド２１へインクを供給するものである。インク供給装置１００は、カートリッジ収容部１１０と、カートリッジカバー１１１と、インク供給部７０と、開閉センサ１１５とを有する。なお、図１においては、カートリッジ収容部１１０にインクカートリッジ３０が装着された状態が示されている。
【００２８】
図３（ａ）に示すように、カートリッジ収容部１１０は、プリンタ１０の正面側に挿入口１１０ａが形成されたケース１０１を有する。インクカートリッジ３０が挿入口１１０ａを通じてケース１０１へ挿抜される。ケース１０１には、マゼンタ、シアン、イエロー、ブラックの各色に対応する４つのインクカートリッジ３０を図１及び図３中紙面垂直方向に並べて収容可能である。なお、図１及び図３においては、１つのインクカートリッジ３０が収容可能なケース１０１の空間が示されている。
【００２９】
カートリッジカバー１１１は、カートリッジ収容部１１０に回動可能に支持されている。より詳細には、カートリッジカバー１１１は、挿入口１１０ａの下端近傍の支軸１１１ａを中心に回動可能に支持されている。これにより、取り外し式のカバーよりもカートリッジカバー１１１を紛失しにくくなる。カートリッジカバー１１１は、図３（ａ）に示す位置であって挿入口１１０ａを開放する開放位置と、図３（ｂ）に示す位置であって挿入口１１０ａを閉鎖する閉鎖位置との間において回動可能に取り付けられている。カートリッジカバー１１１が開放位置に配置されることで、挿入口１１０ａが開放された開放状態となる。カートリッジカバー１１１が閉鎖位置に配置されることで、挿入口１１０ａが閉鎖された閉鎖状態となる。カートリッジカバー１１１は、開閉センサ１１５近傍に設けられた係止部１１２と係止することで、開放位置に固定される。
【００３０】
開閉センサ１１５は、挿入口１１０ａの上端近傍に設けられている。開閉センサ１１５は、図３（ａ）に示すように、カートリッジカバー１１１が閉鎖位置にあるときに当接する当接部１１５ａを有する。開閉センサ１１５は、当接部１１５ａにカートリッジカバー１１１が当接することで、カートリッジカバー１１１が閉鎖位置にあることを示す閉信号を制御部１２０に出力する。一方、開閉センサ１１５は、当接部１１５ａにカートリッジカバー１１１が当接していないと、カートリッジカバー１１１が開放位置にあることを示す開信号を制御部１２０に出力する。これにより、開閉センサ１１５でカートリッジカバー１１１の位置を検出することで、挿入口１１０ａが開放状態及び閉鎖状態のいずれであるかを検出することが可能となる。
【００３１】
インク供給部７０は、図３（ａ）に示すように、ケース１０１の終面１０２の下部に設けられている。インク供給部７０は、４本のチューブ７１と、４つのインクニードル７３と、接続部７２とを有する。４本のチューブ７１や４つのインクニードル７３は、各色のインクカートリッジ３０に対応しており、図３中紙面垂直方向に並んで配置されている。このため、図３には、１本のチューブ７１と１つのインクニードル７３だけが示され、残りのチューブ７１やインクニードル７３の図示が省略されている。接続部７２は、ケース１０１に固定されており、４本のインクニードル７３を支持する。また、接続部７２は、４本のチューブ７１ともそれぞれ接続されており、チューブ７１とインクニードル７３とを個別に連通させる図示しない複数の流路を有する。４本のチューブ７１は、記録ヘッド２１と接続されている。
【００３２】
４本のインクニードル７３は、終面１０２において、ケース１０１に装着された各インクカートリッジ３０のインク流出部８０に対応する位置にそれぞれ配置されている。具体的には、４本のインクニードル７３は、挿抜方向５０に延在した状態で、挿抜方向５０と垂直な水平方向に並んで配置されている。
【００３３】
図３（ｂ）に示すように、インクカートリッジ３０がカートリッジ収容部１１０に挿入されるに連れて、インクニードル７３がインク流出口８１に挿入され、インク流出バルブ８３が開く。これにより、上述したように貯留部３６のインクが、インク流路８２を通ってインクニードル７３に流入する。
【００３４】
インク供給装置１００は、４つのインクカートリッジ３０に対応しており、３つの接点１０６ａ〜１０６ｃで構成された１つの組を、４組有する。各組は、同様の構成であるため、主に１つの組について説明する。
【００３５】
３つの接点１０６ａ〜１０６ｃは、図３（ａ）に示すように、ケース１０１の天面１０４に設けられている。３つの接点１０６ａ〜１０６ｃも、図３中紙面垂直方向に並んで配置されている。このため、図３には、接点１０６ｃだけが示され、残りの２つの接点１０６ａ，１０６ｂの図示が省略されている。各組の３つの接点１０６ａ〜１０６ｃは、挿抜方向５０と垂直な水平方向に互いに離隔して配置されている。３つの接点１０６ａ〜１０６ｃの配置は、対応するインクカートリッジ３０のＩＣ基板７４におけるＨＯＴ電極７５、シグナル電極７６及びＧＮＤ電極７７の配置に対応している。つまり、接点１０６ａがＨＯＴ電極７５に、接点１０６ｂがシグナル電極７６に、接点１０６ｃがＧＮＤ電極に対応して配置されている。
【００３６】
３つの接点１０６ａ〜１０６ｃは、天面１０４から斜め下方に突出し、先端部が天面１０４側に屈曲した屈曲形状を有する。これら接点１０６ａ〜１０６ｃは、導電性及び弾性を有する部材で構成されており、天面１０４側へ弾性変形可能である。つまり、３つの接点１０６ａ〜１０６ｃは、インクカートリッジ３０がカートリッジ収容部１１０に装着されたときに、ＩＣ基板７４の各電極７５〜７７と当接することで上方にやや弾性変形し、各電極７５〜７７に対して所定の押圧力を付与している。これにより、インクカートリッジ３０毎の３つの接点１０６ａ〜１０６ｃと、各電極７５〜７７との電気的接続の信頼性が向上する。なお、２つの接点１０６ｂ，１０６ｃは、インクカートリッジ３０の挿入過程及び脱抜過程において接続電極７９と当接する際も、上方にやや弾性変形し接続電極７９に対して所定の押圧力を付与する。
【００３７】
各組の３つの接点１０６ａ〜１０６ｃは、図５（ａ）に示すように、制御部１２０に含まれる通信回路部１２５と接続されている。通信回路部１２５は、インクカートリッジ３０のそれぞれに対応する４つの回路１２６Ｍ，１２６Ｃ，１２６Ｙ，１２６Ｋを有する（図６参照）。各回路１２６は、４つの配線１０７ａ〜１０７ｄと、抵抗１０８とで構成されている。また、４つの回路１２６Ｍ，１２６Ｃ，１２６Ｙ，１２６Ｋは、後述のＡＳＩＣ１２４に設けられた４つの端子１２７とそれぞれ接続されている（図６参照）。なお、各回路１２６は、同様の構成であるため、主に１つの回路１２６について説明する。
【００３８】
図５（ａ）に示すように、配線１０７ａは、接点１０６ａと電源とを接続する。本実施形態における接点１０６ａには、３．３Ｖの正電位が印加される。配線１０７ｂは、接点１０６ｂとＡＳＩＣ１２４とを接続する。配線１０７ｃは、接点１０６ｃをグランドに接続する。換言すると、本実施形態における接点１０６ｃには、０Ｖの電位が印加される。配線１０７ｄは、配線１０６ｂと電源とを接続する。つまり、本実施形態における接点１０６ｂにも、３．３Ｖの正電位が印加される。なお、２つの接点１０６ｂ，１０６ｃに印加される電位は、互いに異なればどのような電位であってもよく、適宜設定すればよい。抵抗１０８は、配線１０７ｄの途中部位に設けられている。回路１２６は、カートリッジ収容部１１０に収容されたインクカートリッジ３０のＩＣ基板７４とＡＳＩＣ１２４とを通信可能にする。
【００３９】
図５（ａ）に示すように、接点１０６ａとＨＯＴ電極７５とが当接することによって、３．３Ｖの電位がＨＯＴ電極７５に印加される。接点１０６ｃとＧＮＤ電極７７とが当接することにより、ＧＮＤ電極７７がアースされる。２つの接点１０６ａ，１０６ｃとＨＯＴ電極７５及びＧＮＤ電極７７とが当接することによって、ＩＣ７８に電力が供給される。接点１０６ｂとシグナル電極７６とが当接することにより、制御部１２０がＩＣ７８にアクセス可能となる。
【００４０】
また、接点１０６ｂは、図５（ａ）に示すように３．３Ｖの正電位が印加されている。このため、２つの接点１０６ｂ，１０６ｃ間が接続電極７９によって導通されていない非導通状態の場合、回路１２６は、ＡＳＩＣ１２４に対して図５（ｂ）に示す非導通状態におけるときの信号であって、３．３Ｖの正電位に保持された信号を出力する。一方、インクカートリッジ３０の挿入過程及び脱抜過程において、接続電極７９と２つの接点１０６ｂ，１０６ｃとの間において導通状態をとる場合、回路１２６は、ＡＳＩＣ１２４に対して図５（ｂ）に示す導通状態におけるときの信号であって、３．３Ｖの正電位から０Ｖの電位に一旦落ち込む信号（矩形パルス信号）を出力する。つまり、回路１２６は、２つの接点１０６ｂ，１０６ｃが接続電極７９によって非導通状態をとるときと導通状態をとるときとで異なる信号を出力する。このように通信回路部１２５の各回路１２６は、対応するインクカートリッジ３０の挿入及び脱抜のいずれかが行われると、図５（ｂ）に示すように非導通状態から導通状態を経て再び非導通状態となる信号をＡＳＩＣ１２４にそれぞれ出力する。２つの接点１０６ｂ，１０６ｃに印加される電位は、互いに異なる電位を印加するだけであるため、比較的小さい電位とすることが可能である。このため、消費電力の増加を抑制することができる。
【００４１】
次に、制御部１２０について説明する。制御部１２０は、演算処理装置であるＣＰＵ（Central Processing Unit）１２１、ＲＯＭ（Read Only Memory）１２２、ＲＡＭ（Random Access Memory）１２３、ＡＳＩＣ（Application Specific Integrated Circuit）１２４、上述の通信回路部１２５等を含む。ＲＯＭ１２２は、ＣＰＵ１２１が実行するプログラム、各種固定データ等を記憶している。ＲＡＭ１２３は、プログラム実行時に必要なデータを一時的に記憶する。ＡＳＩＣ１２４は、画像データの書き換えや並び替え（画像処理）を行う。また、ＡＳＩＣ１２４は、通信回路部１２５の４つの回路１２６と互いに異なる端子１２７を介して個別に接続されており、各回路１２６からの導通状態を示す信号に基づいてどのインクカートリッジ３０に対応する接点１０６ｂ，１０６ｃ間が導通したか否かを判定する処理を行う。つまり、ＡＳＩＣ１２４は、回路１２６と接続される４つの端子１２７のうちいずれの端子１２７から導通状態を示す信号が入力されるかで、どのインクカートリッジ３０に対応する接点１０６ｂ，１０６ｃ間が導通したかが分かるように構成されている。さらにＡＳＩＣ１２４は、インクカートリッジ３０の認証通信の処理も行う。なお、制御部１２０は、ＣＰＵ１２１及びＡＳＩＣ１２４を１つずつ有しているが、制御部１２０は、ＣＰＵ１２１を１つだけ含み、この１つのＣＰＵ１２１が必要な処理を一括して行うものであってもよいし、ＣＰＵ１２１を複数含み、これら複数のＣＰＵ１２１が必要な処理を分担して行うものであってもよい。また、制御部１２０は、ＡＳＩＣ１２４を１つだけ含み、この１つのＡＳＩＣ１２４が必要な処理を一括して行うものであってもよいし、ＡＳＩＣ１２４を複数含み、これら複数のＡＳＩＣ１２４が必要な処理を分担して行うものであってもよい。
【００４２】
また、制御部１２０は、図６に示すように、記録ヘッド２１、各種モータ２２ｍ，２３ｍ，２５ｍ，２７ｍ、開閉センサ１１５、及び、表示部１５０と接続されている。また、制御部１２０は、４つのインクカートリッジ３０に対応する４つのＩＣ７８Ｍ，７８Ｃ，７８Ｙ，７８Ｋと通信可能に構成されている。
【００４３】
続いて、図７〜図１０を参照し、制御部１２０が実行する第１〜第４の制御について説明する。制御部１２０は、プリンタ１０の電源がＯＮされた後の待機状態において、図７〜図９に示す第１〜第３の制御の最初のステップ（ＳＡ１、ＳＢ１、ＳＣ１）が繰り返し実行される。このとき、ＳＡ１からＳＡ２に進む場合は第１の制御が実行され、ＳＢ１からＳＢ２に進む場合は第２の制御が実行され、ＳＣ１からＳＣ２に進む場合は第３の制御が実行される。また、第４の制御は、プリンタ１０の電源がＯＦＦからＯＮにされると、実行される。
【００４４】
第１及び第２の制御は、インクカートリッジ３０の装着検出を行う制御である。このうち、第２の制御は、故障など何らかの不具合で、カートリッジカバー１１１が開いたときにそのことを示す信号が開閉センサ１１５から出力されない場合でもインクカートリッジ３０の装着検出を行う制御である。第３の制御は、記録指令を受信したときの制御である。第４の制御は、プリンタ１０の電源がＯＦＦからＯＮにされたときの制御である。本実施形態においては、予めカートリッジ収容部１１０に４つのインクカートリッジが収容されている。
【００４５】
［第１の制御フロー］
制御部１２０は、図７に示すように、先ず、開閉センサ１１５からの信号に基づいてカートリッジカバー１１１が開いたか否かを判定する（ＳＡ１）。つまり、カートリッジカバー１１１が閉鎖位置をとる閉鎖状態から開放位置をとる開放状態に変化したか否かを判定する。カートリッジカバー１１１が開いていない場合（ＳＡ１：ＮＯ）、制御部１２０は、ＳＡ１の処理を繰り返す。インクカートリッジ３０を交換する際、使用者はカートリッジカバー１１１を開ける。カートリッジカバー１１１が開いた場合（ＳＡ１：ＹＥＳ）、制御部１２０は、ＳＡ２に進む。
【００４６】
次に、ＳＡ２において、制御部１２０は、インクカートリッジ３０にそれぞれ対応する２つの接点１０６ｂ，１０６ｃが導通したか否かを判定する。上述のように、インクカートリッジ３０がカートリッジ収容部１１０に挿抜されると、２つの接点１０６ｂ、１０６ｃが接続電極７９によって導通し、回路１２６から導通状態を示す信号がＡＳＩＣ１２４の当該インクカートリッジ３０に対応した端子１２７に出力される。したがって、制御部１２０は、通信回路部１２５の各回路１２６からの導通状態を示す信号に基づいて、４つのカートリッジ３０のそれぞれに対応した２つの接点１０６ｂ，１０６ｃが導通したか否かを判定することができる。
【００４７】
インクカートリッジ３０がカートリッジ収容部１１０に挿抜されず、いずれの回路１２６からも導通状態を示す信号が出力されていない場合、制御部１２０が導通していないと判定し（ＳＡ２：ＮＯ）、後述するＳＡ４に進む。一方、制御部１２０が導通したと判定した場合（ＳＡ２：ＹＥＳ）、制御部１２０は、挿抜されたインクカートリッジ３０に応じたフラグをセットする（ＳＡ３）。つまり、ブラックのインクカートリッジ３０ＫにはフラグＫ、イエローのインクカートリッジ３０ＹにはフラグＹ、シアンのインクカートリッジ３０ＣにはフラグＣ、マゼンタのインクカートリッジ３０ＭにはフラグＭをセットする。ＳＡ２及びＳＡ３は、カートリッジ収容部１１０に挿抜されたインクカートリッジ３０毎に行われる。
【００４８】
次に、制御部１２０は、開閉センサ１１５からの信号に基づいてカートリッジカバー１１１が閉じたか否かを判定する（ＳＡ４）。つまり、カートリッジカバー１１１が開放位置をとる開放状態から閉鎖位置をとる閉鎖状態に変化したか否かを判定する。開放状態の場合（ＳＡ４：ＮＯ）、制御部１２０は、ＳＡ２の処理に戻る。
【００４９】
通常、使用者がインクカートリッジ３０を交換する場合は、装着されているインクカートリッジ３０を脱抜してから、カートリッジカバー１１１を閉める前に、新しいインクカートリッジ３０を装着する。この場合、インクカートリッジ３０を脱抜することで、導通が生じ、フラグＫ，Ｙ，Ｃ，Ｍがセットされるため、インクカートリッジ３０の装着時には、既にフラグＫ，Ｙ，Ｃ，Ｍがセットされている。このように既にフラグＫ，Ｙ，Ｃ，Ｍがセットされている場合は、ＳＡ３はスキップされる。
【００５０】
閉鎖状態の場合（ＳＡ４：ＹＥＳ）、制御部１２０は、４つのフラグＫ，Ｙ，Ｃ，Ｍのうち少なくともいずれかがセットされているか否かを判定する（ＳＡ５）。フラグＫ，Ｙ，Ｃ，Ｍがセットされていない場合（ＳＡ５：ＮＯ）、使用者によって単にカートリッジカバー１１１が開けられた後、閉じられただけであるので、第１の制御が終了する。一方、４つのフラグＫ，Ｙ，Ｃ，Ｍのうち少なくともいずれかがセットされている場合（ＳＡ５：ＹＥＳ）、制御部１２０は、ＳＡ６に進む。
【００５１】
次に、ＳＡ６において、制御部１２０は、セットされたフラグＫ，Ｙ，Ｃ，Ｍのいずれかに対応するインクカートリッジ３０のＩＣ７８に認証命令を送信し、認証通信を開始する。このとき、複数のフラグＫ，Ｙ，Ｃ，Ｍがセットされている場合は、フラグＫ，Ｙ，Ｃ，Ｍがセットされたいずれか１つのインクカートリッジ３０のＩＣ７８に認証命令を送信する。本実施形態における認証命令としては、制御部１２０によって導出された数値が送信される。
【００５２】
ＳＡ６の後、制御部１２０は、認証命令が送信されたインクカートリッジ３０における認証が成功したか否かを判定する（ＳＡ７）。プリンタ１０に対応する規格と異なりＩＣ基板を有しないインクカートリッジが誤って装着されている場合、認証命令に対する応答がない。プリンタ１０に対応する規格と異なるもののインクカートリッジが何らかのＩＣ基板を有し、認証命令に対して応答する場合があるが、規格が異なるインクカートリッジの場合は、応答された値は誤っている。カートリッジカバー１１１が閉じられたものの新たなインクカートリッジ３０が装着されていない場合、認証命令に対する応答がない。このような場合、制御部１２０は、認証が失敗したと判定し（ＳＡ７：ＮＯ）、表示部１５０を制御して、認証が失敗したインクカートリッジ３０に対する認証エラーメッセージを表示させる（ＳＡ８）。これにより、カートリッジ収容部１１０に規格の異なるインクカートリッジが装着されていること、及び、インクカートリッジ３０が装着されていないことを使用者に報知することができる。この結果、使用者が適正なインクカートリッジ３０を装着することが可能となる。なお、新たなインクカートリッジ３０が装着された場合も、上述のＳＡ１〜ＳＡ７が実行される。
【００５３】
一方、認証命令が送信されたインクカートリッジ３０がプリンタ１０に対応する適正なものである場合（認証命令に対する応答があり且つ出力された値が正しい場合）、制御部１２０は、認証が成功したと判定し（ＳＡ７：ＹＥＳ）、ＳＡ９に進む。
【００５４】
ＳＡ９において、制御部１２０は、認証が成功したインクカートリッジ３０に対応するフラグＫ，Ｙ，Ｃ，Ｍをリセットする。
【００５５】
次に、制御部１２０は、４つのフラグＫ，Ｙ，Ｃ，Ｍのうち少なくともいずれかがセットされているか否かを判定する（ＳＡ１０）。フラグＫ，Ｙ，Ｃ，Ｍがセットされている場合（ＳＡ１０：ＹＥＳ）、制御部１２０は、ＳＡ６に進む。こうして、フラグＫ，Ｙ，Ｃ，Ｍがセットされたすべてのインクカートリッジ３０に対して、認証が行われる。フラグＫ，Ｙ，Ｃ，Ｍがすべてリセットされた場合（ＳＡ１０：ＮＯ）、第１の制御が終了し、待機状態に戻る。
【００５６】
［第２の制御フロー］
制御部１２０は、図８に示すように、先ず、ＳＡ２と同様なＳＢ１を実行する。ＳＢ１において、制御部１２０は、導通したか否かを判定する。故障などの何らかの不具合により開閉センサ１１５から信号が出力されない場合、第１の制御が実行されない。この場合でも、ＳＢ１が実行されるので、インクカートリッジ３０がカートリッジ収容部１１０に挿抜されると、導通したか否かを判定することができる。制御部１２０は、導通していないと判定した場合（ＳＢ１：ＮＯ）、ＳＢ１の処理を繰り返す。一方、制御部１２０は、導通したと判定した場合（ＳＢ１：ＹＥＳ）、ＳＡ３と同様に、対応するフラグＫ，Ｙ，Ｃ，Ｍをセットする（ＳＢ２）。ＳＢ１及びＳＢ２も、カートリッジ収容部１１０に挿抜されたインクカートリッジ３０毎に行われる。こうして、第２の制御が終了し、待機状態に戻る。
【００５７】
［第３の制御フロー］
制御部１２０は、図９に示すように、先ず、外部装置から送信された画像データを含む記録指令を受信したか否かを判定する（ＳＣ１）。記録指令を受信していない場合（ＳＣ１：ＮＯ）、制御部１２０は、ＳＣ１の処理を繰り返す。記録指令を受信した場合（ＳＣ１：ＹＥＳ）、制御部１２０は、ＳＡ５と同様なＳＣ２を実行する。
【００５８】
フラグＫ，Ｙ，Ｃ，Ｍがセットされていない場合（ＳＣ２：ＮＯ）、すなわち、インクカートリッジ３０の交換が行われたものの新たなインクカートリッジ３０の認証が成功している場合やインクカートリッジ３０の交換が行われていない場合、制御部１２０は、ＳＣ８に進む。
【００５９】
第１の制御においてＳＡ８を経由して待機状態となるとき、４つのフラグＫ，Ｙ，Ｃ，Ｍのうち少なくともいずれかがセットされた状態のままである。第２の制御が実行され待機状態となるときも、４つのフラグＫ，Ｙ，Ｃ，Ｍのうち少なくともいずれかがセットされた状態のままである。また、後述する第４の制御においてＳＤ５を経由して待機状態となるとき、４つのフラグＫ，Ｙ，Ｃ，Ｍのうち少なくともいずれかがセットされた状態のままである。このように４つのフラグＫ，Ｙ，Ｃ，Ｍのうち少なくともいずれかがセットされている場合（ＳＣ２：ＹＥＳ）、すなわち、インクカートリッジ３０の認証が失敗及びインクカートリッジ３０の認証が行われていない場合、制御部１２０は、ＳＡ６〜ＳＡ１０と同様なＳＣ３〜ＳＣ７を実行する。つまり、セットされたフラグＫ，Ｙ，Ｃ，Ｍのいずれかに対応するインクカートリッジ３０のＩＣ７８に認証命令を送信し、認証が失敗した場合（ＳＣ４：ＮＯ）、制御部１２０は、表示部１５０を制御し、認証が失敗したインクカートリッジ３０に対する認証エラーメッセージを表示させる（ＳＣ５）。こうして、第３の制御が終了し、待機状態に戻る。こうして、誤ったインクカートリッジ３０が装着された状態やインクカートリッジ３０が装着されていない状態で、記録処理が実行されるのを防ぐことができる。
【００６０】
一方、ＳＣ４において、認証命令が送信されたインクカートリッジ３０に対する認証が成功した場合（ＳＣ４：ＹＥＳ）、制御部１２０は、認証が成功したインクカートリッジ３０に対応するフラグＫ，Ｙ，Ｃ，Ｍをリセットする（ＳＣ６）。この後、フラグＫ，Ｙ，Ｃ，Ｍがセットされたインクカートリッジ３０がある場合（ＳＣ７：ＹＥＳ）、制御部１２０は、ＳＣ３に戻る。こうして、フラグＫ，Ｙ，Ｃ，Ｍがセットされたすべてのインクカートリッジ３０に対して、認証が行われる。フラグＫ，Ｙ，Ｃ，Ｍがすべてリセットされた場合（ＳＣ７：ＮＯ）、制御部１２０は、ＳＣ８に進む。
【００６１】
ＳＣ７の後、及び、ＳＣ２でフラグＫ，Ｙ，Ｃ，Ｍがセットされていないと判定されると、制御部１２０は、ＳＣ８において、記録処理を実行する。つまり、制御部１２０は、記録指令に基づいて用紙に対する記録動作を実行するように、各部を制御する。制御部１２０は、給紙モータ２３ｍ、搬送モータ２５ｍ、排出モータ２２ｍを制御して、給紙トレイ１５にある用紙を搬送する。さらに、制御部１２０は、画像データに基づいて記録ヘッド２１及びキャリッジモータ２７ｍを制御して、用紙にインクを吐出し、所望の画像を用紙に記録する。この後、画像が記録された用紙が、排出ローラ対２２によって排紙トレイ１６に排出され、記録動作が終了する。こうして、第３の制御が終了し、待機状態に戻る。
【００６２】
［第４の制御フロー］
制御部１２０は、図１０に示すように、プリンタ１０の電源がＯＮされると（ＳＤ１）、いずれか１つのインクカートリッジ３０のＩＣ７８に認証命令を送信し、認証通信を開始する（ＳＤ２）。このとき、ＳＤ２で認証命令を送信したインクカートリッジ３０について送信フラグをセットする。つまり、ブラックのインクカートリッジ３０Ｋには送信フラグＫ、イエローのインクカートリッジ３０Ｙには送信フラグＹ、シアンのインクカートリッジ３０Ｃには送信フラグＣ、マゼンタのインクカートリッジ３０Ｍには送信フラグＭをセットする。ＳＤ２の後、ＳＡ７と同様なＳＤ３を実行する。制御部１２０は、ＳＤ３において、認証が失敗したと判定した場合（ＳＤ３：ＮＯ）、表示部１５０を制御して、認証が失敗したインクカートリッジ３０に対する認証エラーメッセージを表示させる（ＳＤ４）。また、制御部１２０は、ＳＤ４において、認証が失敗したインクカートリッジ３０に対するフラグＫ，Ｙ，Ｃ，Ｍをセットする。こうして、第４の制御が終了し、待機状態に戻る。
【００６３】
一方、ＳＤ３において、インクカートリッジ３０に対する認証が成功した場合（ＳＤ３：ＹＥＳ）、制御部１２０は、認証が成功したインクカートリッジ３０に対するフラグＫ，Ｙ，Ｃ，Ｍをリセットする（ＳＤ５）。この後、制御部１２０は、４つの送信フラグＫ，Ｙ，Ｃ，Ｍがセットされているか否かを判定する（ＳＤ６）。４つの送信フラグＫ，Ｙ，Ｃ，Ｍがセットされていない場合（ＳＤ６：ＮＯ）、制御部１２０は、ＳＤ２に戻り、送信フラグＫ，Ｙ，Ｃ，Ｍがセットされていないインクカートリッジ３０のＩＣ７８に対して認証命令を送信する。こうして、すべてのインクカートリッジ３０に対して、認証が行われ、認証が成功したインクカートリッジ３０に対するフラグＫ，Ｙ，Ｃ，Ｍがリセットされる。
【００６４】
第１の制御においてＳＡ８を経由して待機状態となるとき、４つのフラグＫ，Ｙ，Ｃ，Ｍのうち少なくともいずれかがセットされた状態のままである。第２の制御が実行され待機状態となるとき、４つのフラグＫ，Ｙ，Ｃ，Ｍのうち少なくともいずれかがセットされた状態のままである。第３の制御においてＳＣ５を経由して待機状態となるとき、４つのフラグＫ，Ｙ，Ｃ，Ｍのうち少なくともいずれかがセットされた状態のままである。このような待機状態でプリンタ１０の電源がＯＦＦにされ、電源がＯＦＦのときにプリンタ１０に対応する適正なインクカートリッジ３０が装着された場合でも、電源がＯＮされるとすべてのインクカートリッジ３０に対して認証が行われるので、フラグＫ，Ｙ，Ｃ，Ｍをリセットすることができる。
【００６５】
４つの送信フラグＫ，Ｙ，Ｃ，Ｍがセットされている場合（ＳＤ６：ＹＥＳ）、制御部１２０は、これら送信フラグをすべてリセットする。こうして、第４の制御が終了し、待機状態に戻る。
【００６６】
以上に述べたように、本実施形態によるプリンタ１０によると、第１及び第２の制御においては、インクカートリッジ３０の挿入及び抜脱過程において接点１０６ｂと接点１０６ｃとが導通したことを契機に、フラグＫ，Ｙ，Ｃ，Ｍがセットされる（ＳＡ３、ＳＢ２）。第１の制御においては、カートリッジカバー１１１が開放位置から閉鎖位置に変化すると、フラグＫ，Ｙ，Ｃ，Ｍがセットされたインクカートリッジ３０に対して認証通信（ＳＡ６）が行われる。しかしながら、フラグＫ，Ｙ，Ｃ，Ｍがセットされた後に何らかの不具合で開閉センサ１１５から信号が出力されない場合、カーリッジカバー１１１が開放位置から閉鎖位置に変化しても、認証通信が開始されない。例えば、このような理由でフラグＫ，Ｙ，Ｃ，Ｍがセットされているにもかかわらず、記録指令を受信する前に認証通信（ＳＡ６）が行われなかったとしても、制御部１２０は、記録指令を受信したとき、すなわち、第３の制御において、フラグＫ，Ｙ，Ｃ，Ｍがセットされている場合は認証通信（ＳＣ３）を行う。また、カートリッジカバー１１１を開く前から何らかの不具合で開閉センサ１１５から信号が出力されず第１の制御が実行されない場合でも、第２の制御により、インクカートリッジ３０の挿抜によってフラグＫ，Ｙ，Ｃ，Ｍがセットされる（ＳＢ２）。フラグＫ，Ｙ，Ｃ，Ｍがセットされていると、記録指令を受信したときに認証通信（ＳＣ３）が行われる。これより、誤ったインクカートリッジ３０が収容された状態で記録が実行されるのを防ぐことができる。
【００６７】
例えば、開閉センサが故障している場合は、記録指令の受信を契機に、記録を行う前にインクカートリッジの認証を行う構成とすることが考えられる。しかし、この場合は、記録指令を受信する度に、インクカートリッジの認証を行う必要があり、記録を開始するまでに時間を要する。本実施形態においては、第３の制御において、ＳＡ６の認証通信が行われた結果、フラグＫ，Ｙ，Ｃ，Ｍがリセットされている場合（ＳＡ９）には、記録指令を受信した後には認証通信は行わない（ＳＣ２：ＮＯ）。したがって、記録指令を受信してから記録を開始するまでに要する時間を短縮できる。
【００６８】
また、第１の制御においては、カートリッジカバー１１１が開放位置から閉鎖位置になることで、フラグＫ，Ｙ，Ｃ，Ｍがセットされている場合に認証通信が開始される。この場合、記録指令を受信する度に、認証通信を行う必要がなくなり、認証通信回数を減らすことが可能となる。このため、記録指令を受信してから記録を開始するまでに要する時間を短縮できる。さらに、カートリッジカバー１１１が閉鎖位置をとる状態で認証通信が行われると、認証通信中にカートリッジ収容部１１０からインクカートリッジ３０が抜脱されにくくなる。このため、認証通信中にインクカートリッジ３０が抜き取られることで生じるインクカートリッジ３０のＩＣ７８の故障や、プリンタ１０の制御部１２０が正しいデータの読み取りや書き込みができないといった不具合を防ぐことが可能となる。
【００６９】
第４の制御は、プリンタ１０の電源が入れられる契機で、インクカートリッジ３０の認証通信が行われる（ＳＤ２）。認証通信による認証が成功した場合、フラグＫ，Ｙ，Ｃ，Ｍがリセットされる（ＳＤ５）。一方、認証が失敗した場合、フラグＫ，Ｙ，Ｃ，Ｍがセットされる（ＳＤ４）。そして、ＳＣ２において、第４の制御での認証が成功しているか否かが判定される。このため、電源が入れられていないときに、インクカートリッジ３０の挿抜が行われていても、適正なインクカートリッジ３０がカートリッジ収容部１１０に挿入されているか否かを判定することができ、誤ったインクカートリッジ３０が収容された状態で記録が実行されるのを防ぐことができる。
【００７０】
電源が入れられていないときに、インクカートリッジ３０の挿抜が行われ、適正なインクカートリッジ３０がカートリッジ収容部１１０に挿入された場合は、電源投入後の処理（ＳＤ５）でフラグＫ，Ｙ，Ｃ，Ｍがリセットされるため、記録指令を受信したときに、認証通信が行われない（ＳＣ２：ＮＯ）。このため、記録指令を受信してから記録を開始するまでに要する時間を短縮できる。
【００７１】
第３の制御は、ＳＣ４での認証が成功すると、フラグＫ，Ｙ，Ｃ，Ｍがリセットされる。これにより、インクカートリッジ３０の挿抜が行われる前に次の記録指令を受信しても、認証通信を行う必要がなくなり、認証通信回数を減らすことが可能となる。このため、次の記録指令を受信してから記録を開始するまでに要する時間を短縮できる。
【００７２】
接点１０６ｃは、カートリッジ収容部１１０にインクカートリッジ３０が装着されたときに、ＧＮＤ電極７７に当接し、電気的に接続される。これにより、接点１０６ｂと導通させるための専用の接点を設ける必要がなくなる。
【００７３】
インクカートリッジ３０には、接続電極７９が設けられている。２つの接点１０６ｂ，１０６ｃは、インクカートリッジ３０の挿入過程及び脱抜過程において、接続電極７９によって導通状態と非導通状態とを交互にとる。このため、インクカートリッジ３０の挿入及び脱抜を検出するための専用のセンサを別途設ける必要がなくなる。
【００７４】
接続電極７９は、シグナル電極７６及びＧＮＤ電極７７よりも挿入方向５６の下流に配置され、接点１０６ｂと接触しながら接点１０６ｃと接触するように、幅方向５３に延在している。これにより、挿入過程において、シグナル電極７６と接点１０６ｂ、及び、ＧＮＤ電極７７と接点１０６ｃが当接するよりも前に、接点１０６ｂと接点１０６ｃとを導通させ、脱抜過程において、シグナル電極７６と接点１０６ｂ、及び、ＧＮＤ電極７７と接点１０６ｃが離隔してから接点１０６ｂと接点１０６ｃとを導通させることが可能となる。
【００７５】
以上説明した本実施形態において、プリンタ１０が、本発明の「記録装置」に相当する。カートリッジ収容部１１０が、本発明の「収容部」に相当する。カートリッジカバー１１１が、本発明の「カバー」に相当する。開閉センサ１１５が、本発明の「センサ」に相当する。インクカートリッジ３０が、本発明の「カートリッジ」に相当する。貯留部３６が、本発明の「貯留部」に相当する。ＩＣ７８が、本発明の「第１記憶部」に相当する。ＲＡＭ１２３が、本発明の「第２記憶部」に相当する。シグナル電極７６が、本発明の「第１接点」に相当する。ＧＮＤ電極７７が、本発明の「第４接点」に相当する。接続電極７９が、本発明の「導通部を構成する導体」に相当する。接点１０６ｂが、本発明の「第２接点」に相当する。接点１０６ｃが、本発明の「第３接点」に相当する。制御部１２０が、本発明の「制御部」に相当する。ＳＡ３、ＳＢ２の各処理が、本発明の「第1情報記憶処理」に相当する。ＳＡ６の処理が、本発明の「第１認証処理」に相当する。ＳＡ９の処理が、本発明の「第２情報記憶処理」に相当する。ＳＣ７の処理が、本発明の「記録処理」に相当する。ＳＣ３の処理が、本発明の「第２認証処理」に相当する。ＳＣ６の処理が、本発明の「成功情報記憶処理」に相当する。ＳＤ２の処理が、本発明の「電源投入認証処理」に相当する。ＳＤ４の処理が、本発明の「第３情報記憶処理」に相当する。ＳＤ５の処理が、本発明の「第４情報記憶処理」に相当する。フラグのセットは、本発明の「第２記憶部に第１情報を記憶させる」に相当する。フラグのリセットは、本発明の「第２記憶部に第２情報を記憶させる」に相当する。
【００７６】
次に、上述の実施形態に種々の変更を加えた変更形態について説明する。但し、上述の実施形態と同様の構成を有するものについては、同じ符号を付して適宜その説明を省略する。
【００７７】
１］上述の実施形態においては、カートリッジ収容部１１０にインクカートリッジ３０が挿抜され、接点１０６ｂと接点１０６ｃとが導通したときにフラグをセットしていたが、図１１、図１２に示すように、接点１０６ｂと接点１０６ｃとが導通したときにフラグをセットせずに且つカートリッジカバー１１１が閉鎖位置を取ることを条件とせずに、認証通信を行ってもよい。この第１変更形態における第１〜第４の制御について図１１〜図１４を参照しつつ以下に説明する。本変更形態においても、予めカートリッジ収容部１１０に４つのインクカートリッジ３０が収容されている。
【００７８】
［第１の制御フロー］
制御部１２０は、図１１に示すように、先ず、上述の実施形態のＳＡ１，ＳＡ２と同様なＴＡ１，ＴＡ２を実行する。ＴＡ２において、制御部１２０は、上述の実施形態と同様に、各回路１２６からの導通状態を示す信号に基づいてどのインクカートリッジ３０に対応する接点１０６ｂ，１０６ｃ間が導通したか否かを判定するができる。そして、制御部１２０は、ＴＡ２において、導通していないと判定した場合（ＴＡ２：ＮＯ）、ＴＡ７に進む。一方、導通したと判定した場合（ＴＡ２：ＹＥＳ）、すなわち、インクカートリッジ３０が挿抜された場合、制御部１２０は、その挿抜されたインクカートリッジ３０に対して上述の実施形態と同様な認証通信を開始する（ＴＡ３）。
【００７９】
ＴＡ３の後、制御部１２０は、認証命令が送信されたインクカートリッジ３０における認証が成功したか否かを判定する（ＴＡ４）。このとき、上述の実施形態と同様に認証が失敗したと判定された場合（ＴＡ４：ＮＯ）、制御部１２０は、フラグＫ，Ｙ，Ｃ，Ｍをセットする（ＴＡ５）。また、制御部１２０は、ＴＡ５において、表示部１５０を制御して、認証が失敗したインクカートリッジ３０に対する認証エラーメッセージを表示させる。これにより、カートリッジ収容部１１０に規格の異なるインクカートリッジが装着されていること、及び、インクカートリッジ３０が装着されていないことを使用者に報知することができる。この結果、使用者が適正なインクカートリッジ３０を装着することが可能となる。なお、カートリッジカバー１１１が閉じられる前に、新たなインクカートリッジ３０が装着された場合は、上述のＴＡ２〜ＴＡ４が実行される。
【００８０】
一方、交換されたインクカートリッジ３０がプリンタ１０に対応する適正なものである場合（ＴＡ４：ＹＥＳ）、制御部１２０は、上述のＳＡ９と同様なＴＡ６を実行する。つまり、制御部１２０は、フラグＫ，Ｙ，Ｃ，Ｍがセットされている場合、フラグＫ，Ｙ，Ｃ，Ｍをリセットする。
【００８１】
ＴＡ６の後、制御部１２０は、開閉センサ１１５からの信号に基づいてカートリッジカバー１１１が閉じたか否かを判定する（ＴＡ７）。閉じていない場合（ＴＡ７：ＮＯ）、制御部１２０は、ＴＡ２の処理に戻る。そして、カートリッジカバー１１１が閉じられる前に、別のインクカートリッジ３０が挿抜されると、上述と同様なＴＡ２〜ＴＡ６が実行される。このように本変更形態においては、挿抜されたインクカートリッジ３０毎に認証が行われる。閉じられた場合（ＴＡ７：ＹＥＳ）、第１の制御が終了し、待機状態となる。なお、本変更形態においては、先に挿抜されたインクカートリッジ３０の認証が行われているときに、別のインクカートリッジ３０が挿抜され導通すると、当該別のインクカートリッジ３０の認証も、並行して行われるが、先に挿抜されたインクカートリッジ３０の認証が終わってから別のインクカートリッジ３０の認証が行われてもよい。
【００８２】
［第２の制御フロー］
制御部１２０は、図１２に示すように、先ず、上述の実施形態のＳＢ１と同様なＴＢ１を実行する。開閉センサ１１５の故障など、何からの不具合で開閉センサ１１５から信号が出力されない場合、第１の制御が実行されない。この場合でも、ＴＢ１が実行されるので、インクカートリッジ３０がカートリッジ収容部１１０に挿抜されると、導通したか否かを判定することができる。ＴＢ１においても、制御部１２０は、いずれのインクカートリッジ３０が挿抜されたか否かを判定するができる。そして、制御部１２０は、導通していないと判定した場合（ＴＢ１：ＮＯ）、ＴＢ１の処理を繰り返す。一方、制御部１２０は、導通したと判定した場合（ＴＢ１：ＹＥＳ）、ＴＡ３〜ＴＡ６と同様なＴＢ２〜ＴＢ５の処理を実行する。ＴＢ１〜ＴＢ５も、カートリッジ収容部１１０に挿抜されたインクカートリッジ３０毎に行われる。こうして、第２の制御が終了し、待機状態に戻る。
【００８３】
［第３の制御フロー］
制御部１２０は、図１３に示すように、先ず、上述の実施形態のＳＣ１と同様なＴＣ１を実行する。記録指令を受信していない場合（ＴＣ１：ＮＯ）、制御部１２０は、ＴＣ１の処理を繰り返す。記録指令を受信した場合（ＴＣ１：ＹＥＳ）、制御部１２０は、上述の実施形態のＳＣ２と同様なＴＣ２を実行する。
【００８４】
ＴＣ２において、制御部１２０は、フラグＫ，Ｙ，Ｃ，Ｍがセットされていると判定すると（ＴＣ２：ＹＥＳ）、第３の制御を終了し、待機状態に戻る。このため、誤ったインクカートリッジ３０が装着された状態やインクカートリッジ３０が装着されていない状態で、記録処理が実行されるのを防ぐことができる。
【００８５】
フラグＫ，Ｙ，Ｃ，Ｍがセットされていない場合（ＴＣ２：ＮＯ）、すなわち、インクカートリッジ３０の交換が行われたものの新たなインクカートリッジ３０の認証が成功している場合、制御部１２０は、上述の実施形態のＳＣ８と同様なＴＣ３を実行する。こうして、第３の制御が終了し、待機状態に戻る。
【００８６】
［第４の制御フロー］
制御部１２０は、図１４に示すように、上述の実施形態のＳＤ１〜ＳＤ６と同様なＴＤ１〜ＴＤ６が実行される。ＴＤ３において、インクカートリッジ３０に対する認証が成功した場合（ＴＤ３：ＹＥＳ）、制御部１２０は、フラグＫ，Ｙ，Ｃ，Ｍがセットされている場合、フラグＫ，Ｙ，Ｃ，Ｍをリセットする（ＴＤ５）。つまり、第１の制御においてＴＡ５を経由して待機状態となるとき、フラグＫ，Ｙ，Ｃ，Ｍがセットされた状態のままである。第２の制御においてＴＢ４を経由して待機状態となるとき、フラグＫ，Ｙ，Ｃ，Ｍがセットされた状態のままである。第３の制御においてＴＣ２（ＮＯ）を経由して待機状態となるとき、フラグＫ，Ｙ，Ｃ，Ｍがセットされた状態のままである。このような待機状態でプリンタ１０の電源がＯＦＦにされ、電源がＯＦＦのときにプリンタ１０に対応する適正なインクカートリッジ３０が装着された場合でも、電源がＯＮされるとすべてのインクカートリッジ３０に対して認証が行われるので、フラグＫ，Ｙ，Ｃ，Ｍをリセットすることができる。こうして、第４の制御が終了し、待機状態に戻る。
【００８７】
以上に述べたように、第１変更形態のプリンタによると、第１及び第２の制御においては、インクカートリッジ３０の挿入及び抜脱過程において接点１０６ｂと接点１０６ｃとが導通したことを契機に、交換されたインクカートリッジ３０に対して認証通信（ＴＡ３、ＴＢ２）が行われる。認証が失敗するとフラグＫ，Ｙ，Ｃ，Ｍがセットされ（ＴＡ５、ＴＢ４）、認証が成功するとフラグＫ，Ｙ，Ｃ，Ｍがリセットされる（ＴＡ６、ＴＢ５）。制御部１２０は、記録指令を受信したとき、フラグＫ，Ｙ，Ｃ，Ｍがリセットされている場合は記録処理を行うため、誤ったインクカートリッジ３０が収容された状態で記録が実行されるのを防ぐことができる。
【００８８】
また、第３の制御においては、ＴＡ３又はＴＢ２の認証通信が行われた結果、フラグＫ，Ｙ，Ｃ，Ｍがリセットされている場合（ＴＡ６、ＴＢ５）には、記録指令を受信した後には認証通信は行わない（ＴＣ２：ＮＯ）。したがって、記録指令を受信してから記録を開始するまでに要する時間を短縮できる。また、上述の実施形態と同様な構成においても同じ効果を得ることができる。
【００８９】
制御部１２０は、ＴＡ２において導通状態となると、カートリッジカバー１１１が閉じられなくても、認証通信を実行する。このようにカートリッジカバー１１１が閉じられる前に、認証通信が行われると、認証通信の開始時刻が早くなる。このため、認証通信に時間を要する場合でも当該認証通信の終了時刻を早くすることが可能となる。
【００９０】
また、４本のインクカートリッジ３０がすべて交換された場合、認証通信は交換されたインクカートリッジ３０から順に実行される。上述の実施形態のようにカートリッジカバー１１１が閉じられてから認証通信が実行されると、４本のインクカートリッジ３０の認証通信の終了時刻が遅くなる。しかしながら、本変更形態においては、導通状態になると、直ぐに、交換されたインクカートリッジ３０に対して認証通信を実行する。１のインクカートリッジ３０の装着を行っている際に、別のインクカートリッジ３０に対して認証通信を実行することができる。このため、４本のインクカートリッジ３０の認証通信の終了時刻が早くなる。この結果、認証通信中に記録指令を受信した場合でも、認証通信が比較的早く終了するので、記録を開始するまでに要する時間を短縮できる。
【００９１】
２］上述の実施形態においては、４つのインクカートリッジ３０のうち１つでも挿抜されて導通すれば、共通に用いられるフラグをセットしてもよい。この場合、４つのインクカートリッジ３０について認証を行い、このうち１つでも認証が失敗すれば、制御部１２０が、表示部１５０を制御して、インクカートリッジ３０に対する認証エラーメッセージを表示させる。４つのインクカートリッジ３０の認証がすべて成功すれば、フラグをリセットする。これにおいても、上述の実施形態と同様に、誤ったインクカートリッジ３０が収容された状態で記録が実行されるのを防ぐことができる。
【００９２】
３］上述の実施形態においては、インクカートリッジ３０の挿入及び抜脱過程において、２つの接点１０６ｂ，１０６ｃを一時的に導通させる接続電極７９がインクカートリッジ３０に設けられていたが、２つの接点１０６ｂ，１０６ｃを導通させる導通部１０９を有していてもよい。
【００９３】
図１５に示すように、導通部１０９は、第２変更形態におけるカートリッジ収容部１１０のケース１０１の天面１０４に設けられている。導通部１０９は、挿抜方向５０に関して、各接点１０６ａ〜１０６ｃよりも終面１０２側に配置されている。導通部１０９も接点１０６ａ〜１０６ｃと同様に、天面１０４から斜め下方に突出し、先端部が天面１０４側に屈曲した屈曲形状を有する。導通部１０９は、導電性及び弾性を有する部材で構成されており、天面１０４側へ弾性変形可能である。導通部１０９は、挿抜方向５０に沿って、２つの接点１０６ｂ，１０６ｃと重なる位置に配置されている。
【００９４】
インクカートリッジ３０のＩＣ基板７４には接続電極７９が設けられていない。本体３１の上壁４１の前端部には、突出部３７が設けられている。この突出部３７は、挿抜方向５０に沿って、導通部１０９と重なる位置に配置されている。また、突出部３７は、インクカートリッジ３０の挿入及び抜脱過程において、導通部１０９と係合することで、２つの接点１０６ｂ，１０６ｃを上方に押し上げ、導通部１０９と２つの接点１０６ｂ，１０６ｃとを接触させる。
【００９５】
この構成において、インクカートリッジ３０をカートリッジ収容部１１０に挿入すると、図１５（ａ）に示すように、ＩＣ基板７４が３つの接点１０６ａ〜１０６ｃに近づいていく。インクカートリッジ３０の挿入をさらに進めると、図１５（ｂ）に示すように、突出部３７が導通部１０９を上方に押し上げ、導通部１０９が２つの接点１０６ｂ、１０６ｃと接触し、これら接点１０６ｂ，１０６ｃは、互いに導通した状態である導通状態となる。そして、導通状態となった位置からさらにインクカートリッジ３０を押し込んで、インクカートリッジ３０の挿入が完了したとき、図１５（ｃ）に示すように、３つの接点１０６ａ，１０６ｂ，１０６ｃのそれぞれが対応する電極７５〜７７に当接し、ＩＣ７８と制御部１２０とが電気的に接続される。このとき、突出部３７と導通部１０９とが離隔し、導通部１０９が元の位置に弾性復帰する。このため、導通部１０９は、２つの接点１０６ｂ，１０６ｃと離隔し、これら接点１０６ｂ，１０６ｃは互いに導通していない非導通状態となる。なお、インクカートリッジ３０をカートリッジ収容部１１０から脱抜する脱抜過程において、導通部１０９は、上述の実施形態における接続電極７９と同様に、シグナル電極７６と接点１０６ｂ、及び、ＧＮＤ電極７７と接点１０６ｃが離隔してから接点１０６ｂと接点１０６ｃと当接し、これら接点１０６ｂ，１０６ｃは互いに導通した導通状態となる。そして、導通状態となった位置からさらにインクカートリッジ３０を引き抜くと、導通部１０９は、２つの接点１０６ｂ，１０６ｃと離隔し、これら接点１０６ｂ，１０６ｃが互いに導通していない非導通状態となる。このようにインクカートリッジ３０の挿入過程及び脱抜過程において、２つの接点１０６ｂ，１０６ｃは、導通部１０９によって導通状態と非導通状態とを交互にとる。この第２変更形態におけるプリンタにおいても、上述の実施形態と同様の効果を得ることができる。
【００９６】
４］制御部１２０は、開閉センサ１１５からの開信号に基づいて挿入口１１０ａが閉鎖状態から開放状態に変化したと判定してから、開閉センサ１１５からの閉信号に基づいて挿入口１１０ａが開放状態から閉鎖状態に変化したと判定されるまでの間に、交換されたインクカートリッジ３０について認証通信を行ってもよい。この場合、例えば、カートリッジカバー１１１が開いているときに、導通してから１０秒おきに認証通信を行ってもよい。これにより、認証通信が閉鎖状態から開放状態に変化した後であって開放状態から閉鎖状態に変化するまでに開始される。このため、認証通信の開始時刻が比較的早くなり、認証通信に時間を要する場合でも当該認証通信の終了時刻を早くすることが可能となる。
【００９７】
５］インクカートリッジ３０の挿入及び抜脱過程において、一時的に導通させる２つの接点は、信号用接点とグランドに接続された接点以外の接点でもよい。要するに互いに異なる電位を印加することが可能な接点であればよい。接点１０６ｃに当接するＧＮＤ電極７７は設けられていなくてもよい。つまり、第４接点に相当する接点が設けられていなくてもよい。
【００９８】
６］認証通信の認証としては、インクカートリッジに関する情報を読み取り、当該情報がプリンタに対応しているか否かで認証するか否かを判定してもよい。インクカートリッジに対する認証方式は、ワンタイムパスワード方式、公開鍵暗号方式、チャレンジ＆レスポンス方式等の周知の認証方式を採用されてもよい。加えて、採用する認証方式に応じて、認証処理を行うための専用のＩＣチップをプリンタ本体に別に設けてもよい。
【００９９】
７］プリンタの制御部１２０に接続された外部記憶装置をさらに設け、この記憶装置に、第１情報及び第２情報などを記憶させてもよい。
【０１００】
以上説明した実施形態及びその変更形態は、本発明を、用紙にインクを吐出して画像等を記録するプリンタに適用したものであるが、例えば、インク以外の印刷流体としてトナーを収納したカートリッジを収容可能な電子写真式の記録装置にも、本発明を適用することは可能である。
【符号の説明】
【０１０１】
１０  プリンタ
３０  インクカートリッジ
３６  貯留部
７６  シグナル電極
７７  ＧＮＤ電極
７８  ＩＣ
７９  接続電極
１０６ｂ  接点
１０６ｃ  接点
１０９  導通部
１１０  カートリッジ収容部
１１０ａ  挿入口
１１１  カートリッジカバー
１１５  開閉センサ
１２０  制御部
１２３  ＲＡＭ
【図１】
0006447238.tif 000002
【図２】
0006447238.tif 000003
【図３】
0006447238.tif 000004
【図４】
0006447238.tif 000005
【図５】
0006447238.tif 000006
【図６】
0006447238.tif 000007
【図７】
0006447238.tif 000008
【図８】
0006447238.tif 000009
【図９】
0006447238.tif 000010
【図１０】
0006447238.tif 000011
【図１１】
0006447238.tif 000012
【図１２】
0006447238.tif 000013
【図１３】
0006447238.tif 000014
【図１４】
0006447238.tif 000015
【図１５】
0006447238.tif 000016